(57)【要約】【課題】  構造物の上部から垂下した索条を介して吊り下げられるゴンドラなどの作業床の傾きや回転を抑えたり、逆に積極的に回転させて向きを変えるなどの作業床の姿勢を簡単に調整することができる吊り下げ式作業床装置を提供すること。【解決手段】  作業床である作業用ケージ２を２本の索条であるワイヤロープ１、１で吊り下げ、この作業床２内に回転軸１１ａを鉛直方向に配置した回転体１１を搭載し、回転体１１によるジャイロ効果により壁面側に荷重が加わること等による傾きを抑えるようにする。  これにより、吊り下げ式の作業床に設けた回転体の回転による反作用トルクを伝達させることで、回転体の回転軸に直交する方向のジャイロ効果を利用して作業床の姿勢を制御することができ、作業床の傾きや回転を抑えたり、逆に積極的に回転させて向きを変えることなどができるようにする。【選択図】  図１
2006257766.tif 000002
【特許請求の範囲】
【請求項１】
構造物の上部から吊り下げられて作業に用いる吊り下げ式の作業床に、回転体の回転による反作用トルクを伝達可能に設置し、前記回転体の回転軸に直交する方向の前記作業床の姿勢を制御可能に構成したことを特徴とする吊り下げ式作業床装置。
【請求項２】
前記作業床を、２本の索条で吊り下げて構成し、前記回転体の回転軸を鉛直方向に配置する一方、前記姿勢の制御として当該回転体の回転により前記作業床の傾きを抑制可能に構成したことを特徴とする請求項１記載の吊り下げ式作業床装置。
【請求項３】
前記作業床を、２本の索条で吊り下げて構成し、前記回転体の回転軸を水平方向に配置して当該作業床に回転軸を傾動可能に配置する一方、前記姿勢の制御として当該回転体の回転により前記作業床の吊り下げ姿勢に対して鉛直軸回りの旋回を調整可能に構成したことを特徴とする請求項１または２記載の吊り下げ式作業床装置。
【請求項４】
前記２本の索条を、旋回アームの先端部を介して吊り下げて構成したことを特徴とする請求項１〜３のいずれかに記載の吊り下げ式作業床装置。
【請求項５】
前記作業床を、１本の索条で吊り下げて構成し、前記回転体の回転軸を水平方向に配置するとともに、傾動可能に配置する一方、前記姿勢の制御として当該回転体の回転により前記作業床の前記索条回りの方向を調整可能に構成したことを特徴とする請求項１記載の吊り下げ式作業床装置。
【請求項６】
前記作業床を、当該作業床あるいは前記構造物に設置した巻き取り繰り出し装置で昇降可能に構成したことを特徴とする請求項１〜５のいずれかに記載の吊り下げ式作業床装置。
【請求項７】
前記作業床を、有人作業用のゴンドラあるいは作業機搭載用架台で構成したことを特徴とする請求項１〜６のいずれかに記載の吊り下げ式作業床装置。
【発明の詳細な説明】
【技術分野】
【０００１】
この発明は吊り下げ式作業床装置に関し、建築物などの構造物の上部から垂下したワイヤロープなどの索条を介してゴンドラなどの作業床で作業を行う場合に、作業床の姿勢をジャイロ効果で調整可能にしたもので、傾きや回転を抑えたり、逆に積極的に回転させて向きを変えるようにしたものである。
【背景技術】
【０００２】
従来から、ビル、船舶、発電所、タンク、煙突、そして橋梁などの構造物の壁面の構築や補修などの高所作業を安全かつ能率的に行うためワイヤロープなどの索条で吊り下げた作業者が搭乗するゴンドラや自動窓拭き装置などを搭載する作業床などの吊り下げ式作業床装置を用いることも多く、一定高さに設置したり、昇降機構で上下に昇降可能としたり、さらに必要に応じて上下の昇降だけでなく左右の横行も可能とすることを組み合わせて移動させることで広範囲の作業を行うようにしている。
【０００３】
このような吊り下げ式の作業床装置には、仮設式や常設式として種々の形式のものが実用化されており、その１つは、構造物の上部である屋上などから昇降用ワイヤなどの索条を吊り下げ、作業床としての作業用ケージに搭載した昇降機構であるエンドレスワインダによって昇降用ワイヤに沿って作業用ケージを昇降可能とし、作業用ケージを任意の位置に昇降させて作業するようにしたり、例えば特許文献１などに開示されているように、左右の横行を組み合わせる場合には、構造物の上部である屋上などに横行レールを仮設し、この横行レールに沿って走行する２台のトロリーから昇降用ワイヤなどの索条を吊り下げるようにし、作業用ケージの昇降と、横行レールに沿ってトロリーを走行させることを組み合わせて作業するようにしたものがある。
【０００４】
また、昇降だけを行う簡素化した吊り下げ式作業床装置として、特許文献２に開示されているように、構造物の上部である屋上などから昇降用ワイヤなどの1本の索条を吊り下げ、作業床としてのチェア式の作業用ケージに搭載した昇降機構であるエンドレスワインダによって昇降用ワイヤに沿ってチェア式の作業用ケージを昇降させてチェア（作業用ケージ）を任意の位置に昇降させて作業するものがある。
【０００５】
さらに、常設式として多く採用されている形式に、例えば特許文献３に示すように、建築物の屋上部に走行可能な台車を設けておき、この台車に搭載した昇降機構を介してワイヤロープ等の索条を構造物の外側に突き出すアームの先端から吊り下げて作業床としての作業用ケージを連結し、この作業用ケージを台車内の昇降機構によるワイヤロープの巻き取り・繰り出しによって昇降させることと、台車の走行とを組み合わせて作業するようにしたものがある。
【特許文献１】特開平２−３０８５１号公報
【特許文献２】実開昭４７−２７２２９号公報
【特許文献２】特開２０００−３２０１３３号公報
【発明の開示】
【発明が解決しようとする課題】
【０００６】
これらの作業床装置の何れも作業床としての作業用ケージが屋上や屋上のトロリー、あるいは台車から吊り下げられた索条としてのワイヤロープを介して吊り下げられており、作業床の姿勢が変化するという問題がある。
【０００７】
例えば図1中に示すように、索条として２本のワイヤロープ１、１で吊り下げた作業用ケージ２では、同図（ｂ）中に示すように、作業のため構造物の外壁側に作業者が移動すると、壁面側に傾くことになり、作業がやり難くなるという問題があり、バランスウエイトやワイヤロープ１、１の吊り位置を移動させることなどで対応しなければならないという問題がある。
【０００８】
また、チェア式の作業用ケージを用いる場合には、図２中に示すように、索条として1本のワイヤロープ1だけを用いてチェア式作業ケージ３を吊り下げるためワイヤロープを中心に作業用ケージ３自体が回転してしまうという問題があり、通常、足を壁面に着けながら昇降することで回転を防止するようにしているが、壁面がない部分では回転を防止することができないという問題がある。
【０００９】
さらに、例えば図３中に示すように、台車のアーム４、４を介して索条としての２本のワイヤロープ１、１を吊り下げた作業用ケージ２では、作業時は、壁面との距離を一定に保ち、しかも作業用ケージ２が壁面と平行になるようにする必要があるが、建物の隅部では、作業用ケージ２が壁面に対して相対的に斜めになるという問題があり、壁面と平行にするために台車に旋回機構を設けたり、アーム４，４に旋回機構５を設けなければならないという問題がある。
【００１０】
この発明は、上記の問題点に鑑みてなされたものであって、構造物の上部から垂下した索条を介して吊り下げられるゴンドラなどの作業床の傾きや回転を抑えたり、逆に積極的に回転させて向きを変えるなどの作業床の姿勢を簡単に調整することができる吊り下げ式作業床装置を提供しようとするものである。
【課題を解決するための手段】
【００１１】
上記課題を解決するためこの発明の請求項１記載の吊り下げ式作業床装置は、構造物の上部から吊り下げられて作業に用いる吊り下げ式の作業床に、回転体の回転による反作用トルクを伝達可能に設置し、前記回転体の回転軸に直交する方向の前記作業床の姿勢を制御可能に構成したことを特徴とするものである。
【００１２】
この吊り下げ式作業床装置によれば、構造物の上部から吊り下げられて作業に用いる吊り下げ式の作業床に設けた回転体の回転による反作用トルクを伝達させることで、回転体の回転軸に直交する方向のジャイロ効果を利用して作業床の姿勢を制御することができ、作業床の傾きや回転を抑えたり、逆に積極的に回転させて向きを変えることなどができるようになる。
【００１３】
また、この発明の請求項２記載の吊り下げ式作業床装置は、請求項１記載の構成に加え、前記作業床を、２本の索条で吊り下げて構成し、前記回転体の回転軸を鉛直方向に配置する一方、前記姿勢の制御として当該回転体の回転により前記作業床の傾きを抑制可能に構成したことを特徴とするものである。
【００１４】
この吊り下げ式作業床装置によれば、前記作業床を、２本の索条で吊り下げて構成し、前記回転体の回転軸を鉛直方向に配置する一方、前記姿勢の制御として当該回転体の回転により前記作業床の傾きを抑制可能に構成してあり、回転体によるジャイロ効果により壁面側に荷重が加わること等による傾きを抑えることができるようになる。
【００１５】
さらに、この発明の請求項３記載の吊り下げ式作業床装置は、請求項１または２記載の構成に加え、前記作業床を、２本の索条で吊り下げて構成し、前記回転体の回転軸を水平方向に配置して当該作業床に回転軸を傾動可能に配置する一方、前記姿勢の制御として当該回転体の回転により前記作業床の吊り下げ姿勢に対して鉛直軸回りの旋回を調整可能に構成したことを特徴とするものである。
【００１６】
この吊り下げ式作業床装置によれば、前記作業床を、２本の索条で吊り下げて構成し、前記回転体の回転軸を水平方向に配置して当該作業床に回転軸を傾動可能に配置する一方、前記姿勢の制御として当該回転体の回転により前記作業床の吊り下げ姿勢に対して鉛直軸回りの旋回を調整可能に構成してあり、回転体によるジャイロ効果で作業床を鉛直軸回りに旋回させることで、通常の旋回範囲を超えて向きを変えたり、旋回機構を用いることなく作業床を静止状態から向きを変えた姿勢にできるようにしたり、さらに壁面側に荷重が加わること等による傾きを抑えることができるようにしている。
【００１７】
さらに、この発明の請求項４記載の吊り下げ式作業床装置は、請求項１〜３のいずれかに記載の構成に加え、前記２本の索条を、旋回アームの先端部を介して吊り下げて構成したことを特徴とするものである。
【００１８】
この吊り下げ式作業床装置によれば、前記２本の索条を、旋回アームの先端部を介して吊り下げて構成してあり、旋回アームを介して吊り下げられる作業床においても回転体によるジャイロ効果で、荷重が加わることに等よる傾きを抑えるようにしたり、作業床を鉛直軸回りに旋回させて旋回アームの通常の旋回範囲を超えて向きを変えた姿勢にできるようにしている。
【００１９】
また、この発明の請求項５記載の吊り下げ式作業床装置は、請求項１記載の構成に加え、前記作業床を、１本の索条で吊り下げて構成し、前記回転体の回転軸を水平方向に配置するとともに、傾動可能に配置する一方、前記姿勢の制御として当該回転体の回転により前記作業床の前記索条回りの方向を調整可能に構成したことを特徴とするものである。
【００２０】
この吊り下げ式作業床装置によれば、前記作業床を、１本の索条で吊り下げて構成し、前記回転体の回転軸を水平方向に配置するとともに、傾動可能に配置する一方、前記姿勢の制御として当該回転体の回転により前記作業床の前記索条回りの方向を調整可能に構成してあり、１本の索条で吊り下げるチェア式の作業床等を回転体のジャイロ効果で回転を抑制したり、作業床の向きを調整できるようにしている。
【００２１】
さらに、この発明の請求項６記載の吊り下げ式作業床装置は、請求項１〜５のいずれかに記載の構成に加え、前記作業床を、当該作業床あるいは前記構造物に設置した巻き取り繰り出し装置で昇降可能に構成したことを特徴とするものである。
【００２２】
この吊り下げ式作業床装置によれば、前記作業床を、当該作業床あるいは前記構造物に設置した巻き取り繰り出し装置で昇降可能に構成してあり、一定高さに設置される作業床だけでなく、昇降される作業床のいずれでも回転体によるジャイロ効果を利用して、作業床の姿勢を制御することができ、作業床の傾きや回転を抑えたり、逆に積極的に回転させて向きを変えることなどができるようにしている。
【００２３】
また、この発明の請求項７記載の吊り下げ式作業床装置は、請求項１〜６のいずれかに記載の構成に加え、前記作業床を、有人作業用のゴンドラあるいは作業機搭載用架台で構成したことを特徴とするものである。
【００２４】
この吊り下げ式作業床装置によれば、前記作業床を、有人作業用のゴンドラあるいは作業機搭載用架台で構成してあり、有人作業用のものや無人の作業機用の架台のずれでも荷重の移動や作業に伴う反力による姿勢の変化を抑制したり、向きを変えることができるようにしている。
【発明の効果】
【００２５】
この発明の請求項１記載の吊り下げ式作業床装置によれば、構造物の上部から吊り下げられて作業に用いる吊り下げ式の作業床に設けた回転体の回転による反作用トルクを伝達可能に設置したので、回転体の回転軸に直交する方向のジャイロ効果を利用して作業床の姿勢を制御することができ、作業床の傾きや回転を抑えたり、逆に積極的に回転させて向きを変えることなどができる。
【００２６】
また、この発明の請求項２記載の吊り下げ式作業床装置によれば、前記作業床を、２本の索条で吊り下げて構成し、前記回転体の回転軸を鉛直方向に配置する一方、前記姿勢の制御として当該回転体の回転により前記作業床の傾きを抑制可能に構成したので、回転体によるジャイロ効果により壁面側に荷重が加わること等による傾きを抑えることができる。
【００２７】
さらに、この発明の請求項３記載の吊り下げ式作業床装置によれば、前記作業床を、２本の索条で吊り下げて構成し、前記回転体の回転軸を水平方向に配置して当該作業床に回転軸を傾動可能に配置する一方、前記姿勢の制御として当該回転体の回転により前記作業床の吊り下げ姿勢に対して鉛直軸回りの旋回を調整可能に構成したので、回転体によるジャイロ効果で作業床を鉛直軸回りに旋回させることで、通常の旋回範囲を超えて向きを変えたり、旋回機構を用いることなく作業床を静止状態から向きを変えた姿勢にすることができ、さらに壁面側に荷重が加わること等による傾きを抑えることができる。
【００２８】
さらに、この発明の請求項４記載の吊り下げ式作業床装置によれば、前記２本の索条を、旋回アームの先端部を介して吊り下げて構成したので、旋回アームを介して吊り下げられる作業床においても回転体によるジャイロ効果で、荷重が加わることによる傾きを抑えることができ、作業床を鉛直軸回りに旋回させて旋回アームの通常の旋回範囲を超えて向きを変えることができる。
【００２９】
また、この発明の請求項５記載の吊り下げ式作業床装置によれば、前記作業床を、１本の索条で吊り下げて構成し、前記回転体の回転軸を水平方向に配置するとともに、傾動可能に配置する一方、前記姿勢の制御として当該回転体の回転により前記作業床の前記索条回りの方向を調整可能に構成したので、１本の索条で吊り下げるチェア式等の作業床を回転体のジャイロ効果で回転を抑制したり、作業床の向きを調整することができる。
【００３０】
さらに、この発明の請求項６記載の吊り下げ式作業床装置によれば、前記作業床を、当該作業床あるいは前記構造物に設置した巻き取り繰り出し装置で昇降可能に構成したので、一定高さに設置される作業床だけでなく、昇降される作業床のいずれでも回転体によるジャイロ効果を利用して、作業床の姿勢を制御することができ、作業床の傾きや回転を抑えたり、逆に積極的に回転させて向きを変えることなどができる。
【００３１】
また、この発明の請求項７記載の吊り下げ式作業床装置によれば、前記作業床を、有人作業用のゴンドラあるいは作業機搭載用架台で構成したので、有人作業用や無人の作業機搭載用のずれの作業床でも荷重の移動や作業に伴う反力による姿勢の変化を抑制したり、通常の範囲を越えて向きを変えることができる。
【発明を実施するための最良の形態】
【００３２】
以下、この発明の吊り下げ式作業床装置の実施の形態について添付図面を参照して詳細に説明する。  
図１はこの発明の吊り下げ式作業床装置を作業床としてのゴンドラ装置の作業用ケージに適用した一実施の形態にかかる概略構成図および原理説明図である。  
この吊り下げ式作業床装置１０では、２本の索条である昇降用ワイヤで吊り下げられる作業床としてのゴンドラ装置の作業用ケージの傾きを抑制しようとするものであり、作業床であるゴンドラ装置の作業用ケージとしては、すでに図４および図６で説明した屋上などに仮設される横行レールを走行するトロリーあるいは屋上などから直接吊り下げられる２本の昇降用ワイヤに作業用ケージ内のエンドレスワインダなどの昇降機構を用いて昇降するゴンドラ装置の作業用ケージや屋上などの台車内のドラム式などの昇降機構で巻き取り・繰り出しされる２本の昇降用ワイヤをアームを介して垂下させて昇降させるゴンドラ装置の作業用ケージ、あるいは昇降機構のない所定高さに設置する作業用ケージのいずれにも適用できるものである。
【００３３】
この吊り下げ式作業床装置１０では、２本の索条としてワイヤロープ１、１に作業床としての作業用ケージ２が吊り下げられており、この作業用ケージ２内に高速回転する回転体１１を備えるジャイロ機構１２が設置され、回転体１１の高速回転による反作用トルクを作業用ケージ２に伝達可能とするように設置してある。
【００３４】
すなわち、この吊り下げ式作業床装置１０では、ジャイロ機構１２の回転体１１を高速回転させることによるジャイロ効果により作業用ケージ２の傾きを抑制するため、回転体１１の回転軸１１ａが鉛直方向となるよう例えば、吊り下げ状態の作業用ケージ２の左右２ヶ所に回転体１１を備えるジャイロ機構１２が搭載され、回転軸１１ａが作業用ケージ２の床面と垂直に配置してあり、回転軸１１ａは作業用ケージ２が吊り下げられていることでその回転軸１１ａを傾けることができるようになっている。
【００３５】
この高速回転する回転体１１としては、例えばモータの回転子を利用して構成することができ、固定子を介して作業用ケージ２に反作用トルクを伝達するようにすれば良い。
【００３６】
このように構成した吊り下げ式作業床装置１０では、２本の索条であるワイヤロープ１、１の吊り点を結ぶ線上付近に荷重がかかっても作業用ケージ２は略水平状態を維持できるが、作業用ケージ２内から壁面に対する作業のため壁面側へ荷重が移動すると、図１（ｂ）に示すように、作業用ケージ２が前側に傾くことになる。  
そこで、作業用ケージ２に搭載したジャイロ機構１２の回転体１１を高速回転させる。
【００３７】
すると、作業用ケージ２の床面に対して垂直に回転軸１１ａを設置してある回転体１１の回転による反作用トルクが吊り下げ状態の作業用ケージ２に作用し、この反作用トルクが回転体１１の回転軸１１ａに対して直交する方向に作用するので、作業用ケージ２の傾きを戻すように作用する。  
これにより、作業用ケージ２の傾きを抑制することができる。
【００３８】
したがって、バランスウエイトを搭載したり、ワイヤロープ１、１の吊り点を移動させて傾きを小さくするようにする必要がなく、回転体１１を高速回転するだけで傾きを抑制して作業用ケージ２の姿勢を制御することができる。  
なお、作業用ケージの傾きの抑制量の制御は、回転体の大きさ、回転速度等を適宜設定することで定められる。
【００３９】
次に、この発明の他の一実施の形態について、図２により説明する。  
図２はこの発明の吊り下げ式作業床装置を作業床としてのチェア式ゴンドラ装置のチェア式作業ケージに適用した一実施の形態にかかる概略構成図および原理説明図である。
【００４０】
この吊り下げ式作業床装置２０では、１本の索条としてのワイヤロープ１で吊り下げられる作業床としてのチェア式作業ケージ３のワイヤロープ１を中心とする回転（自転）の防止およびワイヤロープ１を中心とするチェア式作業ケージ３の向きの調整を行うことができるようにするものであり、高速回転する回転体のジャイロ効果による反作用トルクを利用する。
【００４１】
この吊り下げ式作業床装置２０では、１本の索条としてワイヤロープ１に作業床としてのチェア式作業ケージ３が吊り下げられており、このチェア式作業ケージ３内に高速回転する回転体２１を備えるジャイロ機構２２が回転体２１の高速回転による反作用トルクをチェア式作業ケージ３に伝達できるように設置され、水平方向に配置した回転体２１の回転軸２１ａを左右に傾けることができるように傾動機構を介してチェア式作業ケージ３に搭載してある。
【００４２】
この高速回転する回転体２１としては、例えばモータの回転子を利用して構成することができ、固定子を傾動機構を介してチェア式作業ケージ３に反作用トルクを伝達できるようにすれば良く、例えば傾動機構を円弧状のガイドとこれに沿って移動する２つのスライダとで構成し、回転軸２１ａをスライダで支持するようにする。
【００４３】
このように構成した吊り下げ式作業床装置２０では、１本の索条であるワイヤロープ１を中心にチェア式作業ケージ３が自転しようとするが、図２（ｂ）に示すように、チェア式作業ケージ３が右側に向きを変えようとする場合には、搭載したジャイロ機構２２の回転体２１を高速回転させた状態で、回転軸２１ａを左側に傾ける。
【００４４】
すると、チェア式作業ケージ３に対して水平に回転軸２１ａを設置した回転体２１の回転軸２１ａが左側に傾くことで、回転による反作用トルクが１本のワイヤロープ１で吊り下げ状態のチェア式作業ケージ３に作用し、この反作用トルクが回転体２１の回転軸２１ａに対して直交する方向に作用するので、チェア式作業ケージ３のワイヤロープ１を中心として右側への回転を戻すように作用し、チェア式作業ケージ３の向きを変えることができる。
【００４５】
また、逆に、チェア式作業ケージ３が左側に向きを変えようとする場合には、搭載したジャイロ機構２２の回転体２１を高速回転させた状態で、回転軸２１ａを右側に傾ける。
【００４６】
すると、同様にして、チェア式作業ケージ３に対して水平に回転軸２１ａを設置した回転体２１の回転軸２１ａが右側に傾くことで、回転による反作用トルクが１本のワイヤロープ１で吊り下げ状態のチェア式作業ケージ３に作用し、この反作用トルクが回転体２１の回転軸２１ａに対して直交する方向に作用するので、チェア式作業ケージ３のワイヤロープ１を中心として左側への回転を戻すように作用し、チェア式作業ケージ３の向きを変えることができる。
【００４７】
これにより、チェア式作業ケージ３の自転を抑制することができるとともに、チェア式作業ケージ３の向きを調整する方向制御に利用することができる。
【００４８】
したがって、壁面に足をつきながら自転を防止するようにする必要もなく、ジャイロ機構２２の回転体２１の回転軸２１ａを傾けることで調整することができ、特に壁面がない部分での姿勢を安定させることができる。  
なお、チェア式作業ケージの自転防止の抑制量や方向調整の制御は、回転体の大きさ、回転速度等を適宜設定することで定められる。
【００４９】
次に、この発明のさらに他の一実施の形態について、図３により説明する。  
図３はこの発明の吊り下げ式作業床装置を作業床としてのゴンドラ装置の作業用ケージに適用した一実施の形態にかかる概略構成図および平面状態の原理説明図である。
【００５０】
この吊り下げ式作業床装置３０では、２本の索条である昇降用ワイヤで吊り下げられる作業床としてのゴンドラ装置の作業用ケージの旋回位置を自然な吊り下げ位置を越えて変えることができるようにしようとするものであり、作業床であるゴンドラ装置の作業用ケージとしては、すでに図４および図６で説明した屋上などに仮設される横行レールを走行するトロリーあるいは屋上などから直接吊り下げられる２本の昇降用ワイヤに作業用ケージ内のエンドレスワインダなどの昇降機構を用いて昇降するゴンドラ装置の作業用ケージや屋上などの台車内のドラム式などの昇降機構で巻き取り・繰り出しされる２本の昇降用ワイヤをアームを介して垂下させて昇降させるゴンドラ装置の作業用ケージ、あるいは昇降機構のない所定高さに設置する作業用ケージのいずれにも適用できるものである。
【００５１】
この吊り下げ式作業床装置３０では、２本の索条としてのワイヤロープ１が固定式や台車搭載式、あるいはこれらに旋回機構を介して取り付けられたアーム４、４の先端から垂下され、このワイヤロープ１、１に作業床としての作業用ケージ２が吊り下げられており、この作業用ケージ２の例えば中央部に高速回転する回転体３１を備えるジャイロ機構３２が設置され、回転体３１の高速回転による反作用トルクを作業用ケージ２に伝達可能として、壁面と平行な自然位置を越えて斜めに位置させることができるようにする。
【００５２】
すなわち、この吊り下げ式作業床装置３０では、ジャイロ機構３２の回転体３１を高速回転させることによるジャイロ効果により作業用ケージ２を鉛直軸回りに旋回させるため、回転体３１の回転軸３１ａが水平方向に配置した回転体３１の回転軸３１ａを左右に傾けることができるように傾動機構を介して作業用ケージ２に搭載してある。
【００５３】
この高速回転する回転体３１としては、例えばモータの回転子を利用して構成することができ、固定子を傾動機構を介して作業用ケージ２に反作用トルクを伝達できるようにすれば良く、例えば傾動機構を円弧状のガイドとこれに沿って移動する２つのスライダとで構成し、回転軸３１ａをスライダで支持するようにする。
【００５４】
このように構成した吊り下げ式作業床装置３０では、２本の索条であるワイヤロープ１、１で吊り下げられた作業用ケージ２を壁面に平行な自然状態から鉛直軸回りに旋回させて壁面に対して斜めにしようとする場合には、図３（ｂ）に平面状態を示すように、作業用ケージ２を鉛直軸を中心に右に向きを変えようとする場合には、搭載したジャイロ機構３２の回転体３１を高速回転させた状態で、回転軸３１ａを右側に傾ける。
【００５５】
すると、作業用ケージ２に対して水平に設置した回転軸３１ａが右側に傾くことで、回転体３１の反作用トルクが回転体３１の回転軸３１ａに対して直交する方向に作用するので、回転による反作用トルクが作業用ケージ２の鉛直軸に対して右に向けるように作用し、作業用ケージ２が２本のワイヤロープ１、１による吊り下げ状態に対して右に旋回させてバランスする状態に保持され、壁面に対して斜めの状態となる。
【００５６】
また、逆に、作業用ケージ２を鉛直軸を中心に左に向きを変えようとする場合には、搭載したジャイロ機構３２の回転体３１を高速回転させた状態で、回転軸３１ａを左側に傾ける。
【００５７】
すると、作業用ケージ２に対して水平に設置した回転軸３１ａが左側に傾くことで、回転体３１の反作用トルクが回転体３１の回転軸３１ａに対して直交する方向に作用し、作業用ケージ２が鉛直軸に対して左を向くように作用し、作業用ケージ２が２本のワイヤロープ１、１による吊り下げ状態に対して左に旋回してバランスする状態に保持され、壁面に対して斜めの状態となる。
【００５８】
これにより、作業用ケージ２を吊り下げ状態や旋回固定状態のアーム４、４による吊り下げ状態の作業用ケージ２の向きを自然状態を超えて旋回した状態に向きを調整することができる。
【００５９】
したがって、固定吊り元から吊り下げた作業用ケージを鉛直軸回りに多少旋回させて壁面に対して斜めにすることができ、旋回機構を介して吊り下げた作業用ケージでは、旋回範囲を越えて多少旋回させて壁面に対して斜めにすることができる。
【００６０】
なお、作業用ケージの自然な吊り下げ状態を超える旋回量や方向調整の制御は、回転体の大きさ、回転速度等を適宜設定することで定められる。  
また、上記各実施の形態では、作業者が搭乗する有人式の作業床の場合を例に説明したが、自動作業機を搭載する作業機搭載用架台などに適用することができ、傾きの抑制や姿勢の調整、旋回範囲を超えた旋回などを行うようにしても良い。
【００６１】
さらに、上記各実施の形態では、傾きの抑制、姿勢の調整および旋回範囲を超えた旋回などを行う場合についてそれぞれを単独で設置する場合を例に説明したが、これらを組み合わせて作業床の姿勢を調整制御するようにしても良く、一層安定した姿勢を確保し、広範囲の作業ができるようになる。
【図面の簡単な説明】
【００６２】
【図１】この発明の吊り下げ式作業床装置を作業床としてのゴンドラ装置の作業用ケージに適用した一実施の形態にかかる概略構成図および原理説明図である。
【図２】この発明の吊り下げ式作業床装置を作業床としてのチェア式ゴンドラ装置のチェア式作業ケージに適用した一実施の形態にかかる概略構成図および原理説明図である。
【図３】この発明の吊り下げ式作業床装置を作業床としてのゴンドラ装置の作業用ケージに適用した一実施の形態にかかる概略構成図および原理説明図である。
【符号の説明】
【００６３】
１                      ワイヤロープ（昇降用ワイヤ、索条）
２                      作業用ケージ（作業床）
３                      チェア式作業ケージ（作業床）
４                      アーム
５                      旋回機構
１０、２０，３０        吊り下げ式作業床装置
１１、２１，３１        回転体
１１ａ、２１ａ、３１ａ  回転軸
１２，２２，３２        ジャイロ機構
【図１】
2006257766.tif 000003
【図２】
2006257766.tif 000004
【図３】
2006257766.tif 000005